(57)【要約】【課題】  シャワーホースの出し入れがしやすくなる浴室のシャワーホース収納構造を提供する。【解決手段】  シャワーホース７の最小半径以上のアール形状を成すアール部９ｂと、その上端に垂直に立ち上がる直線部９ｃを有し、上端側から垂直方向にシャワーホース７を出し入れできて、下端側から横方向にシャワーホース７をホースガイド８内に導く方向変換部９を備え、方向変換部９から横方向に導かれたシャワーホース７の全長の約半分を横方向にほぼ直線状に収納できるホースガイド８は、方向変換部９の反対側に向かって下り勾配に形成され、浴室壁面に設けられた横長鏡内に内装されている。【選択図】  図２
2005246068.tif 000002
【特許請求の範囲】
【請求項１】
シャワーホースの最小曲げ半径以上のアール形状を成し、上端側から垂直方向にシャワーホースを出し入れできるとともに下端側から横方向にシャワーホースを導く方向変換部と、該方向変換部から横方向に導かれたシャワーホースの全長の約半分を横方向にほぼ直線状に収納できるホースガイドを備え、該ホースガイドは、前記方向変換部の反対側に向かって下り勾配に形成されていることを特徴とする浴室のシャワーホース収納構造。
【請求項２】
前記方向変換部の上端部に、上方へ立ち上がる直線部を設けたことを特徴とする請求項１に記載の浴室のシャワーホース収納構造。
【請求項３】
前記ホースガイドは、急な勾配と緩やかな勾配を連続させた波打ち形状の底面を有することを特徴とする請求項１に記載の浴室のシャワーホース収納構造。
【請求項４】
前記シャワーホースには、前記ホースガイド内を円滑に滑ることができ、シャワーホースに重力を加えることのできる重りが遊嵌されていることを特徴とする請求項１または請求項２に記載の浴室のシャワーホース収納構造。
【請求項５】
前記方向変換部及びホースガイドは、浴室壁面から突出させた箱形形状を成し前面に鏡を備えた浴室用横長鏡内に設けられていることを特徴とする請求項１に記載の浴室のシャワーホース収納構造。
【請求項６】
前記方向変換部及びホースガイドが、浴室洗い場の横方向に長いカウンター内に設けられていることを特徴とする請求項１に記載の浴室のシャワーホース収納構造。
【請求項７】
浴室壁面にシャワーホース収納ボックスを設け、該シャワーホース収納ボックスの前面に開口部を設けるとともに、該開口部にシャワーフックを設けたことを特徴する浴室のシャワーホース収納構造。
【請求項８】
前記開口部は長孔であり、該長孔の幅はシャワーホースの径より大きく、かつ該長孔の一部にシャワーフック部を成形したことを特徴とする請求項７に記載の浴室のシャワーホース収納構造。
【請求項９】
前記シャワーホース収納ボックスの前面には縦長の隆起状の突出部が設けられており、該突出部は上面と前面を有し、上面から前面に亘り前記長孔が設けられ、前記長孔の上面位置にシャワーフック部が形成されていることを特徴とする請求項８に記載の浴室のシャワーホース収納構造。
【発明の詳細な説明】
【技術分野】
【０００１】  本発明は、浴室内におけるシャワーホースの収納構造に関するものである。
【背景技術】
【０００２】  従来、特許文献１に開示されているように、浴室内のカウンターに取り付けたシャワースタンドからシャワーホースが引き出し自在に設けられ、カウンターの下面側にシャワーホースを収納する収納ボックスが配設された構造が存在する。
【特許文献１】特許第２８８６７５１号公報
【発明の開示】
【発明が解決しようとする課題】
【０００３】  従来のようなシャワーホースの収納構造では、収納ボックス内にシャワーホースが屈曲して納まる構造であるため、シャワーホースを収納する際に相当の力を加えて無理に押し込む必要が生じ、シャワーホースの出し入れがしにくいという問題点があった。
【課題を解決するための手段】
【０００４】  本発明は上記従来の問題点に鑑み案出したものであって、シャワーホースの出し入れをスムーズに行うことができる浴室のシャワーホース収納構造を提供せんとするものであり、請求項１は、シャワーホースの最小曲げ半径以上のアール形状を成し、上端側から垂直方向にシャワーホースを出し入れできるとともに下端側から横方向にシャワーホースを導く方向変換部と、該方向変換部から横方向に導かれたシャワーホースの全長の約半分を横方向にほぼ直線状に収納できるホースガイドを備え、該ホースガイドは、前記方向変換部の反対側に向かって下り勾配に形成されていることである。
また、請求項２は、前記方向変換部の上端部に、上方へ立ち上がる直線部を設けたことである。
また、請求項３は、前記ホースガイドは、急な勾配と緩やかな勾配を連続させた波打ち形状の底面を有することである。
また、請求項４は、前記シャワーホースには、前記ホースガイド内を円滑に滑ることができ、シャワーホースに重力を加えることのできる重りが遊嵌されていることである。
また、請求項５は、前記方向変換部及びホースガイドは、浴室壁面から突出させた箱形形状を成し前面に鏡を備えた浴室用横長鏡内に設けられていることである。
また、請求項６は、前記方向変換部及びホースガイドが、浴室洗い場の横方向に長いカウンター内に設けられていることである。
また、請求項７は、浴室壁面にシャワーホース収納ボックスを設け、該シャワーホース収納ボックスの前面に開口部を設けるとともに、該開口部にシャワーフックを設けたことである。
また、請求項８は、前記開口部は長孔であり、該長孔の幅はシャワーホースの径より大きく、かつ該長孔の一部にシャワーフック部を成形したことである。
また、請求項９は、前記シャワーホース収納ボックスの前面には縦長の隆起状の突出部が設けられており、該突出部は上面と前面を有し、上面から前面に亘り前記長孔が設けられ、前記長孔の上面位置にシャワーフック部が形成されていることである。
【発明の効果】
【０００５】  本発明のシャワーホース収納構造は、シャワーホースの最小曲げ半径以上のアール形状を成す方向変換部と、方向変換部から横方向に導かれたシャワーホースの全長の約半分を横方向にほぼ直線状に収納できるホースガイドを備え、ホースガイドは、下り勾配に形成されていることにより、方向変換部を介してシャワーホースをスムーズに出し入れすることができ、しかも、シャワーホースは下り勾配のホースガイドに沿ってスムーズに収納させることができ、ホースガイドはシャワーホースの全長の約半分を横方向にほぼ直線状に収納できるものであるため、シャワーホースの収納時に内部でシャワーホースが屈曲することがなく、シャワーホースの出し入れがしやすいものとなる。【０００６】  また、方向変換部の上端部に、上方へ立ち上がる直線部を設けたことにより、直線部を介してシャワーホースを垂直方向に出し入れすることができ、内部に収納する際にシャワーホースに引っ掛かりが生じにくくなり、良好にシャワーホースを内部に送り込んでスムーズに収納させることができるものとなる。【０００７】  また、ホースガイドは、急な勾配と緩やかな勾配を連続させた波打ち形状の底面を有することにより、急な勾配と緩やかな勾配が連続するため、ホースガイドの底面とシャワーホースとの接触面積が少なくなり、摩擦抵抗が低減されて、スムーズにシャワーホースを収納させることができるものとなり、また、ホースガイド内に入り込んだ水は勾配に沿ってホースガイドの末端側に導かれて、良好に排出することができるものとなる。【０００８】  また、シャワーホースには、ホースガイド内を円滑に滑ることができ、シャワーホースに重力を加えることのできる重りが遊嵌されていることにより、重りを介し、シャワーホースをホースガイド内に引き込む方向に付勢力が加えられて、シャワーホースの収納がしやすいものとなる。【０００９】  また、方向変換部及びホースガイドは、浴室壁面から突出させた箱形形状を成す浴室用横長鏡内に設けられていることにより、浴室用横長鏡内にシャワーホースを横方向にほぼ直線状に良好に納めることができ、内部にスッキリとした状態でシャワーホースが収納されて隠蔽された状態となり、浴室内の意匠性が向上するものとなる。【００１０】  また、方向変換部及びホースガイドが、浴室洗い場の横方向に長いカウンター内に設けられていることにより、横方向に長いカウンター内にシャワーホースを横方向にほぼ直線状に収納させることができ、シャワーホースの出し入れがしやすいものとなり、シャワーホースはカウンター内に収納状態では隠蔽された状態となり、浴室の美観が向上したものとなる。【００１１】  浴室壁面にシャワーホース収納ボックスを設け、該シャワーホース収納ボックスの前面に開口部を設けるとともに、該開口部にシャワーフックを設けたことにより、シャワーフックにシャワーヘッドを仮置きして良好に使用することができるものとなる。【００１２】  開口部は長孔であり、長孔の幅はシャワーホースの径より大きく、かつ長孔の一部にシャワーフック部を成形したことにより、長孔からシャワーホースを引き出してシャワーフックに仮置きしておくことができるものとなる。【００１３】  シャワーホース収納ボックスの前面には縦長の隆起状の突出部が設けられており、突出部は上面と前面を有し、上面から前面に亘り長孔が設けられ、長孔の上面位置にシャワーフック部が形成されていることにより、隆起した突出部に良好にシャワーヘッドを仮置きしておけるため、シャワーヘッドを容易にシャワーフックから取り外して使用することができ、使用勝手が良好なものとなる。
【実施例】
【００１４】  以下、本発明の実施例を図面に基づいて説明する。
図１は、浴室内の壁面１に突出状に設けられた浴室用横長鏡２の概略構成図である。
この浴室用横長鏡２は、横長の箱状の箱体３の表面に、左鏡３ａと右鏡３ｂが設けられており、中央部にはシャワーヘッド収納空間４が凹み状に形成され、シャワーヘッド収納空間４には、シャワーヘッド６を差し込んで保持できるとともに、シャワーヘッド６から延びるシャワーホース７を出し入れできる取出口５が設けられている。【００１５】  箱体３内の左鏡３ａの裏側には、図２に斜視図で示すような、方向変換部９と、ホースガイド８が隠蔽状に内装されている。
方向変換部９は、ホースガイド８の右端から横方向に延びる横方向部９ａがアール部９ｂで曲げられて、アール部９ｂから上方へ立ち上がる直線部９ｃが形成されており、この直線部９ｃの上端に取出口５が形成されている。【００１６】  また、ホースガイド８は  方向変換部９の横方向部９ａ側から反対側の末端部に向かって、下傾状の下り勾配を形成しており、底面８ａは断面Ｕ字状を成し、底面８ａの後方には後面立上片８ｃが一体形成され、また、底面８ａの前面側には前面立上片８ｂが一体形成されており、内部にシャワーホースの全長の約半分の長さを直線状に収納できるように構成されている。【００１７】  シャワーヘッド６を使用する際には、手で握り、上方へ引き上げることにより、シャワーホース７が、ホースガイド８から方向変換部９を通って上方に引き上げられるものであり、また、シャワーヘッド６をシャワーヘッド収納空間４内に収納する際には、シャワーホース７を方向変換部９を介して良好にホースガイド８内で送り込んで収納させることができるものである。【００１８】  なお、方向変換部９のアール部９ｂは、シャワーホース７の最小曲げ半径以上のアールで形成されており、スムーズにシャワーホース７をホースガイド８側へ送り込むことができるようなアール形状となっている。
また、アール部９ｂの上端には直線部９ｃが形成されているため、シャワーホース７を押し込む際に、垂直状にシャワーホース７を押し込むことができ、取出口５にシャワーホース７が引っ掛かって押し込みにくくなることがなく、スムーズにホースガイド８側へシャワーホース７を送り込んで収納できるものとなる。
また、ホースガイド８は、シャワーホース７の全長の約半分の長さをほぼ直線状に収納できるものであるため、シャワーホース７がホースガイド８内で屈曲することがなく、そのため、シャワーホース７をスムーズに出し入れできるものとなっている。【００１９】  さらには図３の拡大図で示すように、ホースガイド８の底面８ａは、急勾配を成す急勾配部Ｐ１と、緩やかな勾配を成す緩勾配部Ｐ２が、交互に連続されて波打ち形状に形成されており、これにより、シャワーホース７とホースガイド８の底面８ａとの接触面積が少なくなり、摩擦抵抗が低減されて、シャワーホース７をホースガイド８内に良好に送り込むことができるように構成されている。
なお、内部に流入した水は、ホースガイド８に下り勾配が形成されているため、この下り勾配に沿って良好に末端側から排出することができるものとなる。【００２０】  なお、図４に示すように、ホースガイド８内に収納されるシャワーホース７の部分に、重り１０を遊嵌させておくと、さらにスムーズにシャワーホース７の出し入れができるものとなる。
例えば、重り１０の外周には複数のコロ１０ａ，１０ａ，１０ａを設けておけば、このコロ１０ａ，１０ａ，１０ａが転動して、よりスムーズにホースガイド８内でのシャワーホース７の移動が行われ、重り１０により、シャワーホース７に重力が加わり、シャワーホース７をホースガイド８内に引き込む方向に付勢力が加えられて、シャワーホース７の収納がしやすいものとなる。【００２１】  なお、図５は別例を示すものであり、図５では、前述した方向変換部９及びホースガイド８を、浴室の洗い場１１側の壁面１に横方向に設けたカウンター１２の内部に内装させたものである。
カウンター１２の上面に設けた取出口５にシャワーヘッド６を保持させることができ、シャワーヘッド６を使用する時には、取出口５から引き出して良好に洗い場１１で使用することができ、また、使用後には、シャワーホース７を方向変換部９を通してホースガイド８内に導いて、ホースガイド８内に良好に収納させることができる。
即ち、カウンター１２は横方向に長いために、横方向に長いホースガイド８をカウンター１２内に内装させておくことができ、このホースガイド８内にシャワーホース７の全長の半分以上を直線状にして収納させることができて、内部でのシャワーホース７の屈曲がないため、シャワーホース７の出し入れを良好に行えるものとなる。【００２２】  次に、図６，図７，図８の変更例で示す構造では、シャワーヘッド収納空間４から前方側へ、縦長の上面と前面を有する隆起状に突出部１５を形成させ、この突出部１５前面には上面が開口した長孔１５ａが形成され、長孔１５ａの幅はシャワーホース７の径より大きく、長孔１５ａの上面側にシャワーヘッド６を仮置きできるシャワーフック部１６を設けたものであり、図７に示すように、シャワーホース７を出したままで仮置きしておくことができ、シャワーホース７を頻繁に収納させる動作は煩雑で使い勝手が悪くなるために、このようにシャワーヘッド６をシャワーフック１６に仮置きできるようにして使用勝手を向上させたものである。
なお、図８は、完全にシャワーホース７を収納させた状態図である。【００２３】  なお、図６に示すように、左鏡３ａの裏側に、略半円形状に板材で形成したホースストッパー１７を形成させておき、このホースストッパー１７にシャワーホース７を巻着させた状態でシャワーホース７を外側へ引き出せるように構成したものであり、シャワーホース７を外側へ引っ張った時に、このホースストッパー１７によりシャワーホース７が折れることが防がれるとともに、シャワーホース７を収納状態に戻した時に、このホースストッパー１７により、だらっとした状態にシャワーホース７が良好に戻ることとなる。
なお、このホースストッパー１７は、シャワーホース７の最小曲率寸法以上の曲率のアールに形成されており、シャワーホース７の劣化を良好に防止することができるものとなる。
【図面の簡単な説明】
【００２４】
【図１】浴室用横長鏡内にシャワーホースを収納させる場合の概略構成図である。
【図２】浴室用横長鏡内に内装された方向変換部とホースガイドの斜視構成図である。
【図３】ホースガイドの底面を波打ち形状としてシャワーホースとの接触面積を減少させた状態の要部拡大構成図である。
【図４】さらにシャワーホースに重りを遊嵌させてホースガイド内を円滑に滑ることができるように構成した場合の要部拡大構成図である。
【図５】横長状のカウンター内にホースガイドを設けた場合の斜視構成図である。
【図６】ホースストッパーを内部に設けた浴室用横長鏡の正面概略構成図である。
【図７】シャワーヘッドを仮置きできるシャワーフックを設けた場合の仮置き状態の要部斜視構成図である。
【図８】完全にシャワーホースを収納させた状態の要部斜視構成図である。
【符号の説明】
【００２５】１  浴室壁面
２  浴室用横長鏡
３  箱体
３ａ  左鏡
３ｂ  右鏡
４  シャワーヘッド収納空間
５  取出口
６  シャワーヘッド
７  シャワーホース
８  ホースガイド
８ａ  底面
８ｂ  前面立上片
８ｃ  後面立上片
９  方向変換部
９ｂ  アール部
９ｃ  直線部
１０  重り
１０ａ  コロ
１１  洗い場
１２  カウンター
１５  突出部
１５ａ  長孔
１６  シャワーフック
１７  ホースストッパー
Ｐ１  急勾配部
Ｐ２  緩勾配部
【図１】
2005246068.tif 000003
【図２】
2005246068.tif 000004
【図３】
2005246068.tif 000005
【図４】
2005246068.tif 000006
【図５】
2005246068.tif 000007
【図６】
2005246068.tif 000008
【図７】
2005246068.tif 000009
【図８】
2005246068.tif 000010